(57)【要約】  本出願の実施形態は、情報伝送方法、端末デバイス、およびネットワークデバイスを提供する。当該方法は、ネットワークデバイスが送信した指示情報を端末デバイスが受信する段階であって、指示情報は、Ｍ個のシステム情報の内容を示すために使用される情報を含む、段階と、ネットワークデバイスが送信したＭ個のシステム情報を端末デバイスが受信する段階と、Ｍ個のシステム情報のうちの同一内容を有する少なくとも２つのシステム情報を指示情報に基づいて端末デバイスが決定する段階と、少なくとも２つのシステム情報を端末デバイスが処理する段階とを備え、Ｍは、２より大きいかまたはそれに等しい正の整数である。したがって、本出願の実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
2019525632.tif 000002
【特許請求の範囲】
【請求項１】
情報伝送方法であって、
ネットワークデバイスが送信した指示情報を端末デバイスが受信する段階であって、前記指示情報は、Ｍ個のシステム情報の内容を示すために使用される情報を含む、段階と、
前記ネットワークデバイスが送信した前記Ｍ個のシステム情報を前記端末デバイスが受信する段階と、
前記Ｍ個のシステム情報のうちの同一内容を有する少なくとも２つのシステム情報を前記指示情報に基づいて前記端末デバイスが決定する段階と、
前記少なくとも２つのシステム情報を前記端末デバイスが処理する段階と
を備え、Ｍは、２より大きいかまたはそれに等しい正の整数である、
方法。
【請求項２】
前記少なくとも２つのシステム情報を前記端末デバイスが処理する前記段階は、
前記少なくとも２つのシステム情報に対して合成復調を前記端末デバイスが実行する段階を有する、
請求項１に記載の方法。
【請求項３】
前記少なくとも２つのシステム情報を前記端末デバイスが処理する前記段階は、
前記端末デバイスが、前記少なくとも２つのシステム情報における第１システム情報を復調し、前記少なくとも２つのシステム情報における前記第１システム情報以外のシステム情報の復調を省略する段階を有する、
請求項１に記載の方法。
【請求項４】
ネットワークデバイスが送信した指示情報を端末デバイスが受信する前記段階は、
前記ネットワークデバイスが送信したブロードキャストメッセージを前記端末デバイスが受信する段階であって、前記ブロードキャストメッセージは前記指示情報を保持する、段階を有する、
請求項１から３のいずれか一項に記載の方法。
【請求項５】
ネットワークデバイスが送信した指示情報を端末デバイスが受信する前記段階は、
前記ネットワークデバイスが送信した制御情報を前記端末デバイスが受信する段階であって、前記制御情報は前記指示情報を保持する、段階を有する、
請求項１から３のいずれか一項に記載の方法。
【請求項６】
前記Ｍ個のシステム情報の前記内容を示すために使用される前記情報は、前記Ｍ個のシステム情報の各々に対応するリソース識別子、前記Ｍ個のシステム情報の各々に対応するリソースグループ識別子、および、前記Ｍ個のシステム情報の各々に対応する内容識別子、のうちの少なくとも１つを含む、
請求項１から５のいずれか一項に記載の方法。
【請求項７】
前記少なくとも２つのシステム情報は、同一のシステム情報伝送期間内にあるか、または、
前記少なくとも２つのシステム情報は、少なくとも２つのシステム情報伝送期間内にある、
請求項１から６のいずれか一項に記載の方法。
【請求項８】
情報伝送方法であって、
指示情報を端末デバイスにネットワークデバイスが送信する段階であって、前記指示情報は、Ｎ個のシステム情報の内容を示すために使用される情報を含み、前記指示情報は、前記Ｎ個のシステム情報のうちの同一内容を有する少なくとも２つのシステム情報を決定し、前記少なくとも２つのシステム情報を処理するために、前記端末デバイスによって使用される、段階と、
前記Ｎ個のシステム情報を前記端末デバイスに前記ネットワークデバイスが送信する段階と
を備え、Ｎは、２より大きいかまたはそれに等しい正の整数である、
方法。
【請求項９】
前記ネットワークデバイスが前記端末デバイスに送信する前記指示情報は、前記指示情報に基づいて前記少なくとも２つのシステム情報に対して合成復調を実行するために前記端末デバイスによって使用される、
請求項８に記載の方法。
【請求項１０】
前記ネットワークデバイスが前記端末デバイスに送信する前記指示情報は、前記少なくとも２つのシステム情報における第１システム情報を前記指示情報に基づいて復調し、前記少なくとも２つのシステム情報における前記第１システム情報以外のシステム情報の復調を省略するために前記端末デバイスによって使用される、
請求項８に記載の方法。
【請求項１１】
指示情報を端末デバイスにネットワークデバイスが送信する前記段階は、
ブロードキャストメッセージを前記端末デバイスに前記ネットワークデバイスが送信する段階であって、前記ブロードキャストメッセージは前記指示情報を保持する、段階を有する、
請求項８から１０のいずれか一項に記載の方法。
【請求項１２】
指示情報を端末デバイスにネットワークデバイスが送信する前記段階は、
制御情報を前記端末デバイスに前記ネットワークデバイスが送信する段階であって、前記制御情報は前記指示情報を保持する、段階を有する、
請求項８から１１のいずれか一項に記載の方法。
【請求項１３】
前記Ｎ個のシステム情報の前記内容を示すために使用される前記情報は、
前記Ｎ個のシステム情報の各々に対応するリソース識別子、前記Ｎ個のシステム情報の各々に対応するリソースグループ識別子、および、前記Ｎ個のシステム情報の各々に対応する内容識別子、のうちの少なくとも１つを含む、
請求項８から１２のいずれか一項に記載の方法。
【請求項１４】
前記少なくとも２つのシステム情報は、同一のシステム情報伝送期間内にあるか、または、
前記少なくとも２つのシステム情報は、少なくとも２つのシステム情報伝送期間内にある、
請求項８から１３のいずれか一項に記載の方法。
【請求項１５】
ネットワークデバイスが送信した指示情報を受信するよう構成される第１の受信ユニットであって、前記指示情報は、Ｍ個のシステム情報の内容を示すために使用される情報を含む、第１の受信ユニットと、
前記ネットワークデバイスが送信した前記Ｍ個のシステム情報を受信するよう構成される第２の受信ユニットと、
前記Ｍ個のシステム情報のうちの同一内容を有する少なくとも２つのシステム情報を前記指示情報に基づいて決定するよう構成される決定ユニットと、
前記少なくとも２つのシステム情報を処理するよう構成される処理ユニットと
を備え、Ｍは、２より大きいかまたはそれに等しい正の整数である、
端末デバイス。
【請求項１６】
前記処理ユニットは具体的に、前記少なくとも２つのシステム情報に対して合成復調を実行するよう構成される、
請求項１５に記載の端末デバイス。
【請求項１７】
前記処理ユニットは具体的に、前記少なくとも２つのシステム情報における第１システム情報を復調し、前記少なくとも２つのシステム情報における前記第１システム情報以外のシステム情報の復調を省略するよう構成される、
請求項１５に記載の端末デバイス。
【請求項１８】
前記第１の受信ユニットは具体的に、前記ネットワークデバイスが送信したブロードキャストメッセージを受信するよう構成され、前記ブロードキャストメッセージは前記指示情報を保持する、
請求項１５から１７のいずれか一項に記載の端末デバイス。
【請求項１９】
前記第１の受信ユニットは具体的に、前記ネットワークデバイスが送信した制御情報を受信するよう構成され、前記制御情報は前記指示情報を保持する、
請求項１５から１７のいずれか一項に記載の端末デバイス。
【請求項２０】
前記Ｍ個のシステム情報の前記内容を示すために使用される前記情報は、
前記Ｍ個のシステム情報の各々に対応するリソース識別子、前記Ｍ個のシステム情報の各々に対応するリソースグループ識別子、および、前記Ｍ個のシステム情報の各々に対応する内容識別子、のうちの少なくとも１つを含む、
請求項１５から１９のいずれか一項に記載の端末デバイス。
【請求項２１】
前記少なくとも２つのシステム情報は、同一のシステム情報伝送期間内にあるか、または、
前記少なくとも２つのシステム情報は、少なくとも２つのシステム情報伝送期間にある、
請求項１５から２０のいずれか一項に記載の端末デバイス。
【請求項２２】
指示情報を端末デバイスに送信するよう構成される第１の送信ユニットであって、前記指示情報は、Ｎ個のシステム情報の内容を示すために使用される情報を含み、前記指示情報は、前記Ｎ個のシステム情報のうちの同一内容を有する少なくとも２つのシステム情報を決定し、前記少なくとも２つのシステム情報を処理するために、前記端末デバイスによって使用される、第１の送信ユニットと、
前記Ｎ個のシステム情報を前記端末デバイスに送信するよう構成される第２の送信ユニットと
を備え、Ｎは、２より大きいかまたはそれに等しい正の整数である、
ネットワークデバイス。
【請求項２３】
前記第１の送信ユニットが前記端末デバイスに送信する前記指示情報は、前記指示情報に基づいて前記少なくとも２つのシステム情報に対して合成復調を実行するために前記端末デバイスによって使用される、
請求項２２に記載のネットワークデバイス。
【請求項２４】
前記第１の送信ユニットが前記端末デバイスに送信する前記指示情報は、前記少なくとも２つのシステム情報における第１システム情報を前記指示情報に基づいて復調し、前記少なくとも２つのシステム情報における前記第１システム情報以外のシステム情報の復調を省略するために、前記端末デバイスによって使用される、
請求項２２に記載のネットワークデバイス。
【請求項２５】
前記第１の送信ユニットは具体的に、ブロードキャストメッセージを前記端末デバイスに送信するよう構成され、前記ブロードキャストメッセージは前記指示情報を保持する、
請求項２２から２４のいずれか一項に記載のネットワークデバイス。
【請求項２６】
前記第１の送信ユニットは具体的に、制御情報を前記端末デバイスに送信するよう構成され、前記制御情報は前記指示情報を保持する、
請求項２２から２４のいずれか一項に記載のネットワークデバイス。
【請求項２７】
前記Ｎ個のシステム情報の前記内容を示すために使用される前記情報は、前記Ｎ個のシステム情報の各々に対応するリソース識別子、前記Ｎ個のシステム情報の各々に対応するリソースグループ識別子、および、前記Ｎ個のシステム情報の各々に対応する内容識別子、のうちの少なくとも１つを含む、
請求項２２から２６のいずれか一項に記載のネットワークデバイス。
【請求項２８】
前記少なくとも２つのシステム情報は、同一のシステム情報伝送期間内にあるか、または、
前記少なくとも２つのシステム情報は、少なくとも２つのシステム情報伝送期間にある、
請求項２２から２７のいずれか一項に記載のネットワークデバイス。
【発明の詳細な説明】
【技術分野】
【０００１】
本出願は、２０１６年８月１２日に中国特許庁に出願された、「情報伝送方法、端末デバイス、およびネットワークデバイス」と題する中国特許出願第２０１６１０６７００３６．Ｘ号に基づく優先権を主張し、当該特許出願はその全体が参照により本明細書に組み込まれる。
【０００２】
本出願は通信分野に関し、特には、情報伝送方法、端末デバイス、およびネットワークデバイスに関する。
【背景技術】
【０００３】
スペクトルは、無線通信において非常に重要なリソースである。既存の通信システムは通常、３ＧＨｚ未満のキャリア周波数で動作する。スマート端末、特にはビデオサービスが出現し、現在のスペクトルリソースでは、容量へのユーザの爆発的に増大する要求に応えることが困難である。より広い利用可能帯域幅を持つ高周波帯域、特にはミリ波帯域が、次第に次世代通信システムの周波数帯域の候補になっている。
【０００４】
高周波帯域を使用する別の利点としては、複数アンテナ構成の寸法を大幅に低減でき、それによって、場所の確保とより多くのアンテナの配置とを容易にする。しかしながら、ＬＴＥシステムなどの現在のシステムの動作帯域とは異なり、高周波帯域は、比較的大きな経路損失をもたらす。特に、大気および植物などの影響因子が電波伝搬損失をさらに大きくする。
【０００５】
例えば、ダウンリンク共通チャネルまたは共通基準信号を伝送する場合、比較的大きな伝播損失を克服するべく、ビームフォーミング技術に基づいた共通チャネル／共通信号伝送メカニズムを導入して比較的大きなアンテナ利得を得て、それにより共通チャネル／共通信号伝播過程での損失を補償する。
【０００６】
共通チャネル（ブロードキャストチャネル、同期信号、またはシステム情報などの）の伝送がビームフォーミング技術に基づいているとき、端末デバイスは受信した複数のシステム情報を個別に復調する必要があり、この方式では、端末デバイスが復調を無駄に繰り返してしまうことがある。加えて、ユーザ機器が２つの形成されたビームの間にあるとき、１回受信したシステム情報のみに基づいて復調すると、不満足な復調性能がもたらされることがある。
【発明の概要】
【０００７】
本出願の実施形態は、情報伝送方法、端末デバイス、およびネットワークデバイスを提供する。当該方法は、端末デバイスが、システム情報の内容が同一か否かを指示情報から知ることと、同一内容を有するシステム情報を処理することとを可能にすることができ、それによって、復調の繰り返しまたは不満足な復調性能という従来技術の問題を回避または軽減する。
【０００８】
第１態様によると、情報伝送方法が提供される。当該方法は、ネットワークデバイスが送信した指示情報を端末デバイスが受信する段階であって、指示情報は、Ｍ個のシステム情報の内容を示すために使用される情報を含む、段階と、ネットワークデバイスが送信したＭ個のシステム情報を端末デバイスが受信する段階と、Ｍ個のシステム情報のうち同一内容を有する少なくとも２つのシステム情報を指示情報に基づいて端末デバイスが決定する段階と、少なくとも２つのシステム情報を端末デバイスが処理する段階とを備え、Ｍは、２より大きいかまたはそれに等しい正の整数である。
【０００９】
したがって、本出願のこの実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【００１０】
ネットワークデバイスが送信する指示情報が、Ｎ個のシステム情報の内容を示すために使用される情報を含んでよいことを理解されたい。端末デバイスが受信する指示情報は、Ｍ個のシステム情報の内容を示すために使用される情報を含んでよい。
【００１１】
Ｎは、Ｍより大きいかまたはそれに等しい正の整数であってよいことを理解されたい。具体的には、ＮがＭより大きいとき、ネットワークデバイスは、指示情報を複数の端末装置に送信してよい。したがって、ネットワークデバイスが送信する指示情報は、複数の端末装置に対応するＮ個のシステム情報の内容を示すために使用される情報を含んでよい。端末デバイスが受信する指示情報は、当該端末デバイスに対応するＭ個のシステム情報の内容についての情報を示すために使用されてよい。ＮがＭに等しいとき、ここでのＭ個のシステム情報は、端末デバイスが受信し得るＭ個のシステム情報であってよい。指示情報は、Ｍ個のシステム情報の内容を示すために使用される情報を含んでよい。しかしながら、本出願のこの実施形態は、これに限定されない。例えば、ネットワークデバイスが送信する指示情報は、別の端末装置が受信し得るシステム情報の内容を示すために使用される情報をさらに含んでよい。このことは、本出願のこの実施形態に限定されない。
【００１２】
本出願のこの実施形態では、ネットワークデバイスは複数の方式で指示情報を送信してよいことを理解されたい。その複数の方式を、例を使用することによって以下で個別に説明する。
【００１３】
第１方式では、ネットワークデバイスは、ブロードキャストメッセージを端末デバイスに送信し、ブロードキャストメッセージは指示情報を保持する。
【００１４】
例えば、ネットワークデバイスは、ダウンリンクブロードキャストチャネルを使用することによってブロードキャストメッセージを送信してよい。任意で、ダウンリンクブロードキャストチャネルは、ＬＴＥシステムの物理ブロードキャストチャネル（Ｐｈｙｓｉｃａｌ  Ｂｒｏａｄｃａｓｔ  Ｃｈａｎｎｅｌ、ＰＢＣＨ）であってよく、または、次世代通信システムの新たなブロードキャストチャネル、例えば新無線ブロードキャストチャネル（Ｎｅｗ  Ｒａｄｉｏ  Ｂｒｏａｄｃａｓｔ  Ｃｈａｎｎｅｌ、ＮＲ−ＢＣＨ）であってよい。本出願のこの実施形態は、これに限定されない。
【００１５】
第２の方式では、ネットワークデバイスは、制御情報を端末デバイスに送信し、制御情報は指示情報を保持する。
【００１６】
制御情報は、システム情報を端末デバイスに送信するためのチャネルのスケジューリング情報をさらに有してよく、スケジューリング情報は、システム情報を送信するためのチャネルのリソース割り当て、ならびに変調および符号化スキームなどの指示情報を含む。
【００１７】
任意で、システム情報を送信するために使用されるチャネルは、物理共有チャネルまたは拡張型ブロードキャストチャネルであってよい。このことは、本明細書において限定されない。
【００１８】
例えば、制御情報はダウンリンク制御情報であってよい。システム情報を伝送するために使用される物理リソースブロックが動的にスケジューリングされるとき、物理リソースブロックのスケジューリング情報は、通常、物理ダウンリンク制御情報に保持される。本出願のこの実施形態において、指示シグナリングは、ダウンリンク制御情報に保持される。ダウンリンク制御情報を伝送するために使用されるチャネルは、新無線物理ダウンリンク制御チャネル（Ｎｅｗ  Ｒａｄｉｏ−Ｐｈｙｓｉｃａｌ  Ｄｏｗｎｌｉｎｋ  Ｃｏｎｔｒｏｌ  Ｃｈａｎｎｅｌ、ＮＲ−ＰＤＣＣＨ）などの物理ダウンリンク制御チャネルであってよいが、本出願のこの実施形態は、これに限定されない。
【００１９】
任意で、第１方式において、Ｍ個のシステム情報の各々は、１つのブロードキャスト情報／１つのブロードキャストチャネルリソースと関連付けられているか、またはそれに対応している。
【００２０】
第２の方式において、Ｍ個のシステム情報の各々は、１つの制御情報／１つの制御チャネルリソースと関連付けられているか、またはそれに対応している。
【００２１】
本出願のこの実施形態において、指示情報がＭ個のシステム情報の内容を示すために使用される情報を含むならば、指示情報の具体的な内容は限定されないことを理解されたい。
【００２２】
例えば、本出願のこの実施形態のＭ個のシステム情報の内容を示すために使用される情報は、Ｍ個の内容指示情報を含んでよい。Ｍ個のシステム情報のうちの１つが、Ｍ個の内容指示情報のうちの１つに対応しており、各システム情報に対応する１つの内容指示情報が、システム情報の内容を示すために使用されてよい。
【００２３】
あるいは、本出願のこの実施形態のＭ個のシステム情報の内容を示すために使用される情報は、Ｍ個の内容指示情報を含んでよい。Ｍ個のシステム情報のうちの１つが、１つの内容指示情報に対応し、各システム情報に対応する１つの内容指示情報が、Ｍ個のシステム情報の内容を示すために使用されてよい。
【００２４】
あるいは、本出願のこの実施形態のＭ個のシステム情報の内容を示すために使用される情報は、１つの内容指示情報を含んでよく、この内容指示情報は、共同指示情報とも称されてよい。共同指示情報は、Ｍ個のシステム情報の各々に対応する内容を示すことができる。
【００２５】
本出願のこの実施形態では、Ｍ個のシステム情報の各々が１つの内容指示情報に対応し、この内容指示情報が、このシステム情報の内容を示すために使用されることが好ましい。１つのシステム情報に対応する１つの内容指示情報は、このシステム情報に対応するリソース識別子、リソースグループ識別子、または内容識別子等であってよい。本出願のこの実施形態は、これに限定されない。
【００２６】
具体的には、Ｍ個のシステム情報の内容を示すために使用される情報は、Ｍ個のシステム情報の各々に対応するリソース識別子、Ｍ個のシステム情報の各々に対応するリソースグループ識別子、および、Ｍ個のシステム情報の各々に対応する内容識別子、のうちの少なくとも１つを含む。
【００２７】
例えば、ネットワークデバイスが送信する指示情報は、Ｎ個のシステム情報の各々に対応する内容識別子を含み、端末デバイスが受信するＭ個のシステム情報に対応する指示情報は、Ｍ個のシステム情報の各々に対応する内容識別子を含んでよい。
【００２８】
ネットワークデバイスが送信する指示情報は、Ｎ個のシステム情報の各々に対応するリソース識別子を含み、端末デバイスが受信するＭ個のシステム情報に対応する指示情報は、Ｍ個のシステム情報の各々に対応するリソース識別子を含んでよい。
【００２９】
ネットワークデバイスが送信する指示情報は、Ｎ個のシステム情報の各々に対応するリソースグループ識別子を含み、端末デバイスが受信するＭ個のシステム情報に対応する指示情報は、Ｍ個のシステム情報の各々に対応するリソースグループ識別子を含んでよい。
【００３０】
本出願のこの実施形態では、ネットワークデバイスが送信するＮ個のシステム情報は同一のシステム情報伝送期間内にあってよく、または、少なくとも２つのシステム情報伝送期間内にあってよいことを理解されたい。本出願のこの実施形態は、これに限定されない。
【００３１】
ネットワークデバイスは、Ｎ個のリソースを使用することによってＮ個のシステム情報を端末デバイスに送信してよく、各リソースは、１つのシステム情報を搬送してよいことを理解されたい。例えば、各リソースは１つの形成されたビームに対応していてよく、端末デバイスは、Ｎ個のリソースのうちのＭ個のリソースにおいて搬送されるＭ個のシステム情報を受信してよい。しかしながら、本出願のこの実施形態は、これに限定されない。
【００３２】
本出願のこの実施形態では、少なくとも２つのシステム情報が複数の方式で処理されてよいことを理解されたい。例えば、任意で、一実装例において、端末デバイスは、少なくとも２つのシステム情報に対して合成復調を実行する。
【００３３】
従来技術では、端末デバイスは、受信したシステム情報をそれぞれ復調する必要がある。しかしながら、端末デバイスが受信した単一のシステム情報の信号品質が比較的悪いとき、端末デバイスは、システム情報を正しく復調しない場合がある。本出願のこの実施形態では、同一内容を有する少なくとも２つのシステム情報に対して合成復調を実行する。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【００３４】
本出願のこの実施形態の「合成復調」は、「統合復号」とも称されてよいことを理解されたい。統合復号は、ソフト合成（例えば、典型的な合成方式のＣｈａｓｅ  Ｃｏｍｂｉｎｉｎｇ）を含んでよい。例えば、本出願のこの実施形態では、端末デバイスは、少なくとも２つのシステム情報に対してソフト合成を実行してよく、それによって、正しく復調されたシステム情報を取得する。しかしながら、本出願のこの実施形態は、これに限定されない。
【００３５】
少なくとも２つのシステム情報の合成方式は、本出願のこの実施形態において限定されないことを理解されたい。例えば、合成方式は、検出前に少なくとも２つのシステム情報を合成することであってよく、または、検出後に少なくとも２つのシステム情報を合成することであってよい。本出願のこの実施形態は、これに限定されない。
【００３６】
別の例では、あるいは、別の実装例において、端末デバイスは、少なくとも２つのシステム情報における第１システム情報を復調し、少なくとも２つのシステム情報における第１システム情報以外のシステム情報の復調を省略する。
【００３７】
第１システム情報が少なくとも２つのシステム情報の一部であるならば、第１システム情報は、少なくとも２つのシステム情報のうちの１つのシステム情報を含んでよく、または、少なくとも２つのシステム情報のうちの複数のシステム情報を含んでよいことをさらに理解されたい。
【００３８】
従来技術では、受信したシステム情報の具体的な内容を端末デバイスが知るのはシステム情報を復調した後なので、各システム情報を復調する必要がある。本出願のこの実施形態では、少なくとも２つのシステム情報における第１システム情報のみを復調すればよく、少なくとも２つのシステム情報における第１システム情報以外のシステム情報の復調は省略されてよい。当該少なくとも２つのシステム情報は同一内容を有するので、第１システム情報のみを復調することによってシステム情報を取得でき、同一内容を有する他のシステム情報を復調する必要はない。
【００３９】
したがって、本出願のこの実施形態では、指示情報は、端末デバイスが受信する各システム情報の内容が同一か否かを示す。受信した少なくとも２つのシステム情報の内容が同一であると、指示情報に基づいて端末デバイスが決定したとき、少なくとも２つのシステム情報における第１システム情報のみが復調されてよい。第１システム情報が正しく復調されたとき、端末デバイスは、少なくとも２つのシステム情報における他のシステム情報の復調を省略する。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【００４０】
第２態様によると、情報伝送方法が提供される。当該方法は、指示情報を端末デバイスにネットワークデバイスが送信する段階であって、指示情報は、Ｎ個のシステム情報の内容を示すために使用される情報を含み、指示情報は、Ｎ個のシステム情報のうちの同一内容を有する少なくとも２つのシステム情報を決定し、当該少なくとも２つのシステム情報を処理するために、端末デバイスによって使用される、段階と、Ｎ個のシステム情報を端末デバイスにネットワークデバイスが送信する段階とを備え、Ｎは、２より大きいかまたはそれに等しい正の整数である。
【００４１】
したがって、本出願のこの実施形態では、ネットワークデバイスは指示情報を端末に送信し、その結果、端末デバイスは、受信したシステム情報の内容が同一であるか否かを指示情報に基づいて知り、同一内容を有するシステム情報を処理することができ、それによって、復調の繰り返しまたは不満足な復調性能という従来技術の問題を回避または軽減する。
【００４２】
第２態様は第１態様に対応しており、第１態様は端末デバイスによって実行され、第２態様はネットワークデバイスによって実行されてよいことを理解されたい。ネットワークデバイス側における方法の対応する特徴については、第１態様の説明を参照されたい。したがって、簡潔にするべく、詳細な説明を適宜省略する。
【００４３】
任意で、ネットワークデバイスが端末デバイスに送信する指示情報は、指示情報に基づいて少なくとも２つのシステム情報に対して合成復調を実行するために端末デバイスによって使用される。
【００４４】
任意で、ネットワークデバイスが端末デバイスに送信する指示情報は、少なくとも２つのシステム情報における第１システム情報を指示情報に基づいて復調し、少なくとも２つのシステム情報における第１システム情報以外のシステム情報の復調を省略するために、端末デバイスによって使用される。
【００４５】
任意で、指示情報を端末デバイスにネットワークデバイスが送信する段階は、ブロードキャストメッセージを端末デバイスにネットワークデバイスが送信する段階であって、ブロードキャストメッセージは指示情報を保持する、段階を有する。
【００４６】
任意で、指示情報を端末デバイスにネットワークデバイスが送信する段階は、制御情報を端末デバイスにネットワークデバイスが送信する段階であって、制御情報は指示情報を保持する、段階を有する。
【００４７】
任意で、Ｎ個のシステム情報の内容を示すために使用される情報は、Ｎ個のシステム情報の各々に対応するリソース識別子、Ｎ個のシステム情報の各々に対応するリソースグループ識別子、および、Ｎ個のシステム情報の各々に対応する内容識別子、のうちの少なくとも１つを含む。
【００４８】
任意で、少なくとも２つのシステム情報は、同一のシステム情報伝送期間内にあるか、または、少なくとも２つのシステム情報は、少なくとも２つのシステム情報伝送期間内にある。
【００４９】
したがって、本出願のこの実施形態では、ネットワークデバイスは指示情報を端末デバイスに送信し、その結果、端末デバイスは、受信したシステム情報の内容が同一であるか否かを指示情報に基づいて知り、同一内容を有するシステム情報を処理することができ、それによって、復調の繰り返しまたは不満足な復調性能という従来技術の問題を回避または軽減する。
【００５０】
加えて、本出願のこの実施形態では、端末デバイスはさらに、同一内容を有する少なくとも２つのシステム情報に対して合成復調を実行してよい。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【００５１】
本出願のこの実施形態では、端末デバイスはさらに、少なくとも２つのシステム情報における第１システム情報を復調し、第１システム情報が正しく復調されたとき、少なくとも２つのシステム情報における他のシステム情報の復調を省略してよい。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【００５２】
第３態様によると、端末デバイスが提供され、当該端末デバイスは、第１態様、または第１態様の任意の可能な実装例の方法を実行するよう構成される。具体的には、端末デバイスは、上述の方法を実行するよう構成されるユニットを含む。
【００５３】
第４態様によると、ネットワークデバイスが提供される。当該ネットワークデバイスは、第２態様、または第２態様の任意の可能な実装例の方法を実行するよう構成される。具体的には、端末デバイスは、上述の方法を実行するよう構成されるユニットを含む。
【００５４】
第５態様によると、端末デバイスが提供される。端末デバイスは、プロセッサおよびメモリを備える。メモリは、コンピュータプログラムを記憶するよう構成される。プロセッサは、メモリに記憶されたコンピュータプログラムを実行し、第１態様、または第１態様の任意の可能な実装例の方法を実行するよう構成される。
【００５５】
第６態様によると、ネットワークデバイスが提供される。ネットワークデバイスは、プロセッサおよびメモリを備える。メモリは、コンピュータプログラムを記憶するよう構成される。プロセッサは、メモリに記憶されたコンピュータプログラムを実行し、第２態様、または第２態様の任意の可能な実装例の方法を実行するよう構成される。具体的には、端末デバイスは、上述の方法を実行するよう構成されるユニットを含む。
【００５６】
第７態様によると、コンピュータ可読媒体が提供される。当該コンピュータ可読媒体は、コンピュータプログラムを記憶するよう構成される。コンピュータプログラムは、第１態様、または第１態様の任意の可能な実装例の方法を実行するために使用される命令を含む。
【００５７】
第８態様によると、コンピュータ可読媒体が提供される。当該コンピュータ可読媒体は、コンピュータプログラムを記憶するよう構成される。コンピュータプログラムは、第２態様、または第２態様の任意の可能な実装例の方法を実行するために使用される命令を含む。
【図面の簡単な説明】
【００５８】
【図１】本出願の一実施形態を適用可能な通信システムのシナリオ図である。
【００５９】
【図２】本出願の一実施形態に係る情報伝送方法の概略フローチャートである。
【００６０】
【図３】本出願の一実施形態に係るシステム情報の内容識別子の概略ブロック図である。
【００６１】
【図４】本発明の別の実施形態に係るシステム情報の内容識別子の概略ブロック図である。
【００６２】
【図５】本出願の一実施形態に係る端末デバイスの概略ブロック図である。
【００６３】
【図６】本発明の別の実施形態に係るネットワークデバイスの概略ブロック図である。
【００６４】
【図７】本発明の別の実施形態に係る端末デバイスの概略ブロック図である。
【００６５】
【図８】本発明の別の実施形態に係るネットワークデバイスの概略ブロック図である。
【発明を実施するための形態】
【００６６】
添付の図面に関連して、本出願の技術的解決手段を以下で説明する。
【００６７】
本出願の実施形態の技術的解決手段は様々な通信システムに適用され得ることを理解されたい。その通信システムとは、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥの周波数分割複信（Ｆｒｅｑｕｅｎｃｙ  Ｄｉｖｉｓｉｏｎ  Ｄｕｐｌｅｘ、ＦＤＤ）システム、ＬＴＥの時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）システム、およびワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭａｘ）通信システムなどである。本出願の実施形態は、これに限定されない。
【００６８】
また、本出願の実施形態において、ネットワークデバイスは、ＧＳＭ（登録商標）システムまたは符号分割多元接続（Ｃｏｄｅ  Ｄｉｖｉｓｉｏｎ  Ｍｕｌｔｉｐｌｅ  Ａｃｃｅｓｓ、ＣＤＭＡ）システムのベーストランシーバ基地局（Ｂａｓｅ  Ｔｒａｎｓｃｅｉｖｅｒ  Ｓｔａｔｉｏｎ、ＢＴＳ）であってよく、ＷＣＤＭＡ（登録商標）システムのノードＢ（ＮｏｄｅＢ、ＮＢ）であってよく、ＬＴＥシステムの発展型ノードＢ（Ｅｖｏｌｖｅｄ  ＮｏｄｅＢ、ｅＮＢもしくはｅＮｏｄｅＢ）であってよく、または、クラウド無線アクセスネットワーク（Ｃｌｏｕｄ  Ｒａｄｉｏ  Ａｃｃｅｓｓ  Ｎｅｔｗｏｒｋ、ＣＲＡＮ）の無線コントローラであってよいことが理解されるべきである。あるいは、ネットワークデバイスは、中継局、アクセスポイント、車載デバイス、ウェアラブルデバイス、今後の５Ｇネットワークのネットワーク側デバイス、または今後の発展型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）等のネットワークデバイスであってよい。
【００６９】
本出願の実施形態の端末デバイスは、アクセス端末、ユーザ機器（Ｕｓｅｒ  Ｅｑｕｉｐｍｅｎｔ、ＵＥ）、加入者ユニット、加入者局、移動局、モバイルコンソール、リモート局、リモート端末、モバイルデバイス、ユーザ端末、端末、無線通信デバイス、ユーザエージェント、またはユーザ装置等とも称されてよい。アクセス端末は、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）フォン、無線ローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス、無線モデムに接続された別の処理デバイス、車載デバイス、ウェアラブルデバイス、今後の５Ｇネットワークの端末デバイス、または、今後の発展型の公衆陸上移動体ネットワーク（Ｐｕｂｌｉｃ  Ｌａｎｄ  Ｍｏｂｉｌｅ  Ｎｅｔｗｏｒｋ、ＰＬＭＮ）の端末デバイスであってよい。
【００７０】
理解と説明を容易にするために、限定ではなく例示を目的として、通信システムにおける本出願の情報伝送方法およびデバイスの実行プロセスおよび動作を以下で説明する。
【００７１】
図１は、本出願の一実施形態を適用可能な通信システムのシナリオ図である。図１において、通信システムは、ネットワークデバイスおよび端末デバイスを備え、ネットワークデバイスおよび端末デバイスは、セルラネットワークリソースまたは非ライセンススペクトルリソースを使用することによって互いに通信し合う。図１では、説明のために、ネットワークデバイスが基地局であり、端末デバイスがユーザ機器である例が使用される。例えば、図１では、ネットワークデバイスはシステム情報を端末デバイスに送信してよく、端末デバイスは、システム情報に基づいてネットワークデバイスへの接続を確立してよい。その結果、ネットワークデバイスと端末デバイスとの間でダウンリンク伝送およびアップリンク伝送が行われ得る。ネットワークデバイスは、複数のリソースを使用することによってシステム情報を端末デバイスに送信してよく、各リソースは、１つのシステム情報を搬送してよい。例えば、各リソースは、１つの形成されたビームに対応していてよい。言い換えると、ネットワークデバイスは、１つの形成されたビームに基づいて１つのシステム情報を端末デバイスに送信してよく、その結果、複数の形成されたビームに基づいて複数のシステム情報が送信され得る。本出願のこの実施形態は、これに限定されない。
【００７２】
端末デバイスは、無線アクセスネットワークの基地局と通信してよく、または、無線アクセスネットワークの基地局を使用することによってコアネットワークと通信してよく、または、さらに、公衆交換電話網（Ｐｕｂｌｉｃ  Ｓｗｉｔｃｈｅｄ  Ｔｅｌｅｐｈｏｎｅ  Ｎｅｔｗｏｒｋ、略して「ＰＳＴＮ」）と、もしくは別のネットワークと、もしくはインターネット全体とも、通信してよいことを理解されたい。このことは、本出願のこの実施形態において限定されない。
【００７３】
図２は、本出願の一実施形態に係る情報伝送方法の概略フローチャートである。図２に示す方法は、上述の通信システムに適用することができ、本出願のこの実施形態を適用可能な通信システムは、ネットワークデバイスおよび端末デバイスを含む。図２に示す方法２００は、次の段階を備える。
【００７４】
２１０．ネットワークデバイスが、指示情報を端末デバイスに送信する。
【００７５】
具体的には、端末デバイスは、指示情報を端末デバイスに送信し、指示情報は、Ｎ個のシステム情報の内容を示すために使用される情報を含む。
【００７６】
それに対応して、端末デバイスは、ネットワークデバイスが送信したＮ個のシステム情報のうちのＭ個のシステム情報と、Ｍ個のシステム情報に対応する指示情報の内容とを受信してよい。例えば、端末デバイスが受信する指示情報は、Ｍ個のシステム情報の内容を示すために使用される情報を含んでよい。
【００７７】
Ｎは、Ｍより大きいかまたはそれに等しい正の整数であってよいことを理解されたい。具体的には、ＮがＭより大きいとき、ネットワークデバイスは、指示情報を複数の端末装置に送信してよい。したがって、ネットワークデバイスが送信する指示情報は、複数の端末装置に対応するＮ個のシステム情報の内容を示すために使用される情報を含んでよい。端末デバイスが受信する指示情報は、端末デバイスが受信するＭ個のシステム情報に対応する内容についての情報のみを示すために使用されてよい。ＮがＭに等しいとき、ここでのＭ個のシステム情報は、端末デバイスが受信し得るＭ個のシステム情報であってよい。本出願のこの実施形態の指示情報は、Ｍ個のシステム情報の内容を示すために使用される情報を含んでよい。しかしながら、本出願のこの実施形態は、これに限定されない。例えば、ネットワークデバイスが送信する指示情報は、別の端末装置によって受信され得るシステム情報の内容を示すために使用される情報をさらに含んでよい。このことは、本出願のこの実施形態において限定されない。
【００７８】
本出願のこの実施形態では、ネットワークデバイスは複数の方式で指示情報を送信してよいことを理解されたい。その複数の方式を、例を使用することによって以下で個別に説明する。
【００７９】
第１方式では、ネットワークデバイスは、ブロードキャストメッセージを端末デバイスに送信し、ブロードキャストメッセージは指示情報を保持する。
【００８０】
例えば、ネットワークデバイスは、ダウンリンクブロードキャストチャネルを使用することによってブロードキャストメッセージを送信してよい。任意で、ダウンリンクブロードキャストチャネルは、ＬＴＥシステムの物理ブロードキャストチャネルＰＢＣＨであってよく、または、次世代システムの新たなブロードキャストチャネル、例えば新無線ブロードキャストチャネル（Ｎｅｗ  Ｒａｄｉｏ  Ｂｒｏａｄｃａｓｔ  Ｃｈａｎｎｅｌ、ＮＲ−ＢＣＨ）であってよい。本出願のこの実施形態は、これに限定されない。
【００８１】
第２の方式では、ネットワークデバイスは、制御情報を端末デバイスに送信し、制御情報は指示情報を保持する。
【００８２】
制御情報は、システム情報を端末デバイスに送信するためのチャネルのスケジューリング情報をさらに有してよく、スケジューリング情報は、システム情報を送信するためのチャネルのリソース割り当て、ならびに変調および符号化スキームなどの指示情報を含む。
【００８３】
任意で、システム情報を送信するために使用されるチャネルは、物理共有チャネルまたは拡張型ブロードキャストチャネルであってよい。このことは、本明細書において限定されない。
【００８４】
例えば、制御情報はダウンリンク制御情報であってよい。システム情報を伝送するために使用される物理リソースブロックが動的にスケジューリングされるとき、物理リソースブロックのスケジューリング情報は、通常、物理ダウンリンク制御情報に保持される。本出願のこの実施形態において、指示シグナリングは、ダウンリンク制御情報に保持される。ダウンリンク制御情報を伝送するために使用されるチャネルは、新無線物理ダウンリンク制御チャネル（Ｎｅｗ  Ｒａｄｉｏ−Ｐｈｙｓｉｃａｌ  Ｄｏｗｎｌｉｎｋ  Ｃｏｎｔｒｏｌ  Ｃｈａｎｎｅｌ、ＮＲ−ＰＤＣＣＨ）などの物理ダウンリンク制御チャネルであってよいが、本出願のこの実施形態は、これに限定されない。
【００８５】
任意で、第１方式において、Ｍ個のシステム情報の各々は、１つのブロードキャスト情報／１つのブロードキャストチャネルリソースと関連付けられているか、またはそれに対応している。
【００８６】
第２の方式において、Ｍ個のシステム情報の各々は、１つの制御情報／１つの制御チャネルリソースと関連付けられているか、またはそれに対応している。
【００８７】
本出願のこの実施形態において、指示情報がＭ個のシステム情報の内容を示すために使用される情報を含むならば、指示情報の具体的な内容は限定されないことを理解されたい。
【００８８】
例えば、本出願のこの実施形態のＭ個のシステム情報の内容を示すために使用される情報は、Ｍ個の内容指示情報を含んでよい。Ｍ個のシステム情報のうちの１つが、Ｍ個の内容指示情報のうちの１つに対応しており、各システム情報に対応する１つの内容指示情報が、システム情報の内容を示すために使用されてよい。
【００８９】
あるいは、本出願のこの実施形態のＭ個のシステム情報の内容を示すために使用される情報は、Ｍ個の内容指示情報を含んでよい。Ｍ個のシステム情報のうちの１つが、１つの内容指示情報に対応し、各システム情報に対応する１つの内容指示情報が、Ｍ個のシステム情報の内容を示すために使用されてよい。
【００９０】
あるいは、本出願のこの実施形態のＭ個のシステム情報の内容を示すために使用される情報は、１つの内容指示情報を含んでよく、この内容指示情報は、共同指示情報とも称されてよい。共同指示情報は、Ｍ個のシステム情報の各々に対応する内容を示すことができる。
【００９１】
本出願のこの実施形態では、Ｍ個のシステム情報の各々が１つの内容指示情報に対応し、この内容指示情報が、このシステム情報の内容を示すために使用されることが好ましい。１つのシステム情報に対応する１つの内容指示情報は、このシステム情報に対応するリソース識別子、リソースグループ識別子、または内容識別子等であってよい。本出願のこの実施形態は、これに限定されない。
【００９２】
具体的には、Ｍ個のシステム情報の内容を示すために使用される情報は、Ｍ個のシステム情報の各々に対応するリソース識別子、Ｍ個のシステム情報の各々に対応するリソースグループ識別子、および、Ｍ個のシステム情報の各々に対応する内容識別子、のうちの少なくとも１つを含む。
【００９３】
例えば、ネットワークデバイスが送信する指示情報は、Ｎ個のシステム情報の各々に対応する内容識別子を含み、端末デバイスが受信するＭ個のシステム情報に対応する指示情報は、Ｍ個のシステム情報の各々に対応する内容識別子を含んでよい。
【００９４】
ネットワークデバイスが送信する指示情報は、Ｎ個のシステム情報の各々に対応するリソース識別子を含み、端末デバイスが受信するＭ個のシステム情報に対応する指示情報は、Ｍ個のシステム情報の各々に対応するリソース識別子を含んでよい。
【００９５】
ネットワークデバイスが送信する指示情報は、Ｎ個のシステム情報の各々に対応するリソースグループ識別子を含み、端末デバイスが受信するＭ個のシステム情報に対応する指示情報は、Ｍ個のシステム情報の各々に対応するリソースグループ識別子を含んでよい。
【００９６】
本出願のこの実施形態では、ネットワークデバイスが送信するＮ個のシステム情報は同一のシステム情報伝送期間内にあってよく、または、少なくとも２つのシステム情報伝送期間内にあってよいことを理解されたい。本出願のこの実施形態は、これに限定されない。
【００９７】
以下、例を使用することによって指示情報を個別に、詳細に説明する。
【００９８】
例えば、端末デバイスが受信するＭ個のシステム情報に対応する指示情報は、Ｍ個のシステム情報の各々に対応する内容識別子を含んでよい。
【００９９】
例えば、図３に示すように、Ｍ個のシステム情報は、同一の伝送期間内の４つのシステム情報であり、第１のシステム情報から第４のシステム情報に対応する内容識別子は、それぞれ０、０、０、および１である。
【０１００】
この場合、端末デバイスは、第１のシステム情報から第３のシステム情報の内容が同一であるとＭ個のシステム情報に対応する指示情報に基づいて決定してよい。
【０１０１】
図４に示すように、Ｍ個のシステム情報は、２つの異なる伝送期間内の４つのシステム情報であってよい。例えば、図４に示すように、第１のシステム情報から第４のシステム情報を含む４つのシステム情報に対応する内容識別子は、それぞれ０、０、０、および１である。第１のシステム情報および第２のシステム情報は、同一の伝送期間内にあり、第３のシステム情報および第４のシステム情報は、別の伝送期間内にある。
【０１０２】
この場合、端末デバイスは、第１のシステム情報から第３のシステム情報の内容が同一であるとＭ個のシステム情報に対応する指示情報に基づいて決定してよい。
【０１０３】
別の例では、表１に示すように、Ｍ個のシステム情報は４つのシステム情報であり、４つのシステム情報に対応するリソース識別子は、それぞれリソース１、リソース２、リソース３、およびリソース４である。リソース識別子とシステム情報内容との間の予め設定された対応関係は、リソース１からリソース３が第１タイプのシステム情報の内容に対応しているということ、言い換えると、リソース１からリソース３において搬送されるシステム情報の内容は同一であるということと、リソース４が第２タイプのシステム情報の内容に対応しているということとであってよい。次に、システム情報に対応するリソース識別子を指示情報に基づいて決定した後、端末デバイスは、どのシステム情報が同一内容を有しているかを、リソース識別子とシステム情報内容との間の予め設定された対応関係に基づいて決定してよい。ここで、第１のシステム情報から第４のシステム情報は、同一の伝送期間内のシステム情報であってよく、または、異なる伝送期間内のシステム情報であってよい。このことは、本出願のこの実施形態に限定されない。
【表１】
2019525632.tif 000003
【０１０４】
あるいは、端末デバイスが受信するＭ個のシステム情報に対応する指示情報は、Ｍ個のシステム情報の各々に対応するリソースグループ識別子を含んでよい。各システム情報に対応するリソースグループ識別子を決定した後、端末デバイスは、どのシステム情報が同一内容を有しており、どのシステム情報が異なる内容を有しているのかを、リソースグループ識別子とシステム情報の内容との間の対応関係に基づいて決定してよい。
【０１０５】
例えば、表２に示すように、Ｍ個のシステム情報は４つのシステム情報であり、第１のシステム情報から第４のシステム情報を含む４つのシステム情報に対応するリソースグループ識別子は、それぞれリソースグループ１、リソースグループ１、リソースグループ１、およびリソースグループ２である。リソースグループ識別子とシステム情報との間の予め設定された対応関係は、同一のリソースグループ内のリソースにおいて搬送されるシステム情報の内容が同一であるということ、具体的には、リソース１からリソース３において搬送される第１のシステム情報から第３のシステム情報は同一内容を有しているということであってよい。ここで、第１のシステム情報から第４のシステム情報は、同一の伝送期間内のシステム情報であってよく、または、異なる伝送期間内のシステム情報であってよい。このことは、本出願のこの実施形態に限定されない。
【表２】
2019525632.tif 000004
【０１０６】
したがって、本出願のこの実施形態では、ネットワークデバイスは指示情報を端末デバイスに送信し、その結果、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１０７】
上述の指示情報の例は、当業者が本出願のこの実施形態を理解する上で一助となることを意図しているに過ぎず、例示を目的としているに過ぎず、指示情報は別の形態であってよいことに留意されたい。本出願のこの実施形態は、これに限定されない。
【０１０８】
２２０．ネットワークデバイスが、システム情報を端末デバイスに送信する。
【０１０９】
具体的には、ネットワークデバイスは、Ｎ個のシステム情報を端末デバイスに送信する。端末デバイスは、Ｎ個のシステム情報のうちのＭ個を受信できる。
【０１１０】
具体的には、本出願のこの実施形態において、ネットワークデバイスはまず、システム情報に対応する指示情報を端末デバイスに送信し、次に、システム情報を端末デバイスに送信してよい。したがって、端末デバイスは、システム情報を復調する前に、どのシステム情報が同一内容を有しているかを受信した指示情報から決定してよい。
【０１１１】
例えば、ネットワークデバイスは、Ｎ個のリソースを使用することによってＮ個のシステム情報を送信してよく、各リソースは１つのシステム情報を搬送し、端末デバイスは、Ｎ個のリソースのうちのＭ個のリソースにおいて搬送されるＭ個のシステム情報を受信してよい。任意で、ここでの１つのリソースは、１つの形成されたビームに対応していてよいが、本出願のこの実施形態は、これに限定されない。
【０１１２】
２３０．端末デバイスが、Ｍ個のシステム情報のうちの同一内容を有する少なくとも２つのシステム情報を、指示情報に基づいて決定する。
【０１１３】
Ｍ個のシステム情報の内容を示すために使用される、指示情報に含まれる情報から、端末デバイスは、Ｍ個のシステム情報におけるどのシステム情報が同一内容を有するかを決定してよい。
【０１１４】
例えば、図３または図４に示すように、Ｍ個のシステム情報は、４つシステム情報であり、４つのシステム情報に対応する内容識別子は、それぞれ０、０、０、および１である。
【０１１５】
端末デバイスは、第１のシステム情報から第３のシステム情報が同一内容を有していると、Ｍ個のシステム情報に対応する内容識別子に基づいて決定してよい。
【０１１６】
別の例では、表１に示すように、Ｍ個のシステム情報は４つのシステム情報であり、４つのシステム情報に対応するリソース識別子は、それぞれリソース１、リソース２、リソース３、およびリソース４である。リソース識別子とシステム情報内容との間の予め設定された対応関係は、リソース１からリソース３が第１タイプのシステム情報の内容に対応しているということ、言い換えると、リソース１からリソース３において搬送されるシステム情報の内容が同一であるということと、リソース４が第２タイプのシステム情報の内容に対応しているということとであってよい。端末デバイスは、第１のシステム情報から第３のシステム情報が同一内容を有していると、システム情報に対応するリソース識別子、および、リソース識別子とシステム情報内容との間の予め設定された対応関係に基づいて決定してよい。
【０１１７】
別の例では、表２に示すように、Ｍ個のシステム情報は、４つのシステム情報であり、４つのシステム情報に対応するリソースグループ識別子は、それぞれリソースグループ１、リソースグループ１、リソースグループ１、およびリソースグループ２である。リソースグループ識別子とシステム情報との間の予め設定された対応関係は、同一のリソースグループ内のリソースにおいて搬送されるシステム情報の内容は同一であるということであってよい。端末デバイスは、第１のシステム情報から第３のシステム情報が同一内容を有していると、システム情報に対応するリソースグループ識別子、および、リソースグループ識別子とシステム情報内容との間の予め設定された対応関係に基づいて決定してよい。
【０１１８】
２４０．端末デバイスが、少なくとも２つのシステム情報を処理する。
【０１１９】
本出願のこの実施形態では、少なくとも２つのシステム情報が複数の方式で処理されてよいことを理解されたい。例えば、任意で、一実装例において、端末デバイスは、少なくとも２つのシステム情報に対して合成復調を実行する。
【０１２０】
従来技術では、端末デバイスは、受信したシステム情報をそれぞれ復調する必要がある。しかしながら、端末デバイスが受信した単一のシステム情報の受信信号品質が比較的悪いとき、端末デバイスは、システム情報を正しく復調しない場合がある。本出願のこの実施形態では、同一内容を有する少なくとも２つのシステム情報に対して合成復調を実行する。たとえ単一のシステム情報の受信信号品質が比較的悪くても、同一内容を有するシステム情報を受信し合成することによって受信信号品質およびシステム情報伝送信頼性を向上させることができ、それによって、復調の繰り返しまたは不満足な復調性能という従来技術の問題を回避または軽減する。
【０１２１】
本出願のこの実施形態の「合成復調」は、「統合復号」とも称されてよいことを理解されたい。統合復号は、ソフト合成（例えば、典型的な合成方式のＣｈａｓｅ  Ｃｏｍｂｉｎｉｎｇ）を含んでよい。例えば、本出願のこの実施形態では、端末デバイスは、少なくとも２つのシステム情報に対してソフト合成を実行してよく、それによって、正しく復調されたシステム情報を取得する。しかしながら、本出願のこの実施形態は、これに限定されない。
【０１２２】
少なくとも２つのシステム情報の合成方式（または統合方式）は、本出願のこの実施形態において限定されないことを理解されたい。例えば、合成方式は、検出前に少なくとも２つのシステム情報を合成することであってよく、または、検出後に少なくとも２つのシステム情報を合成することであってよい。本出願のこの実施形態は、これに限定されない。
【０１２３】
別の例では、あるいは、別の実装例において、端末デバイスは、少なくとも２つのシステム情報における第１システム情報を復調し、少なくとも２つのシステム情報における第１システム情報以外のシステム情報の復調を省略する。
【０１２４】
第１システム情報が少なくとも２つのシステム情報の一部であるならば、第１システム情報は、少なくとも２つのシステム情報のうちの１つのシステム情報を含んでよく、または、少なくとも２つのシステム情報のうちの複数のシステム情報を含んでよいことをさらに理解されたい。
【０１２５】
従来技術では、受信したシステム情報の具体的な内容を端末デバイスが知るのはシステム情報を復調した後なので、各システム情報を復調する必要がある。本出願のこの実施形態では、少なくとも２つのシステム情報における第１システム情報のみを復調すればよく、少なくとも２つのシステム情報における第１システム情報以外のシステム情報の復調は省略されてよい。当該少なくとも２つのシステム情報は同一内容を有するので、第１システム情報のみを復調することによってシステム情報を取得でき、同一内容を有する他のシステム情報を復調する必要はない。
【０１２６】
したがって、本出願のこの実施形態では、指示情報は、端末デバイスが受信する各システム情報の内容が同一か否かを示す。受信した少なくとも２つのシステム情報の内容が同一であると、指示情報に基づいて端末デバイスが決定したとき、少なくとも２つのシステム情報における第１システム情報のみが復調されてよい。第１システム情報が正しく復調されたとき、端末デバイスは、少なくとも２つのシステム情報における他のシステム情報の復調を省略する。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【０１２７】
上記では、図２から図４に関連して本出願の実施形態に係る情報伝送方法を詳細に説明している。図２から図４までの例は、本出願の実施形態を、それらの例において示した具体的な値または具体的なシナリオに限定することではなく、当業者が本出願の実施形態を理解する上で一助となることを意図しているに過ぎないことに留意されたい。当業者であれば、図２から図４において与えられた例にしたがって様々な等価な変形または変更を施すことができ、そのような変形または変更もまた本出願の実施形態の範囲に含まれることは明らかである。
【０１２８】
これより、図５および図７に関連して本出願の実施形態の端末デバイスを説明し、図６および図８に関連して本出願の実施形態のネットワークデバイスを説明する。
【０１２９】
図５は、本出願の一実施形態に係る信号伝送のための端末デバイス５００の概略ブロック図である。図５に示すように、端末デバイス５００は、ネットワークデバイスが送信した指示情報を受信するよう構成される第１の受信ユニット５１０であって、指示情報は、Ｍ個のシステム情報の内容を示すために使用される情報を含む、第１の受信ユニット５１０と、ネットワークデバイスが送信したＭ個のシステム情報を受信するよう構成される第２の受信ユニット５２０と、指示情報に基づいて、Ｍ個のシステム情報のうちの同一内容を有する少なくとも２つのシステム情報を決定するよう構成される決定ユニット５３０と、少なくとも２つのシステム情報を処理するよう構成される処理ユニット５４０とを備え、Ｍは、２より大きいかまたはそれに等しい正の整数である。
【０１３０】
したがって、本出願のこの実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１３１】
任意で、処理ユニット５４０は具体的に、少なくとも２つのシステム情報に対して合成復調を実行するよう構成される。
【０１３２】
あるいは、処理ユニット５４０は具体的に、少なくとも２つのシステム情報における第１システム情報を復調し、少なくとも２つのシステム情報における第１システム情報以外のシステム情報の復調を省略するよう構成される。
【０１３３】
任意で、第１の受信ユニット５１０は具体的に、ネットワークデバイスが送信したブロードキャストメッセージを受信するよう構成され、ブロードキャストメッセージは指示情報を保持する。
【０１３４】
あるいは、第１の受信ユニット５１０は具体的に、ネットワークデバイスが送信した制御情報を受信するよう構成され、制御情報は指示情報を保持する。
【０１３５】
任意で、Ｍ個のシステム情報の内容を示すために使用される情報は、Ｍ個のシステム情報の各々に対応するリソース識別子、Ｍ個のシステム情報の各々に対応するリソースグループ識別子、および、Ｍ個のシステム情報の各々に対応する内容識別子、のうちの少なくとも１つを含む。
【０１３６】
任意で、少なくとも２つのシステム情報は、同一のシステム情報伝送期間内にあるか、または、少なくとも２つのシステム情報は、少なくとも２つのシステム情報伝送期間内にある。
【０１３７】
図５に示す端末デバイス５００は、図２の方法の実施形態の端末デバイスに関係したプロセスを実装できることを理解されたい。端末デバイス５００内のモジュールの動作および／または機能がそれぞれ、図２の方法の実施形態の対応する手順を実装するために使用される。詳細は、上述の方法の実施形態における説明を参照されたい。繰り返しを避けるために、ここでは詳細な説明を適宜省略する。
【０１３８】
したがって、本出願のこの実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１３９】
加えて、本出願のこの実施形態では、端末デバイスはさらに、同一内容を有する少なくとも２つのシステム情報に対して合成復調を実行してよい。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【０１４０】
本出願のこの実施形態では、端末デバイスは、少なくとも２つのシステム情報における第１システム情報のみを復調し、第１システム情報が正しく復調されたとき、少なくとも２つのシステム情報における他のシステム情報の復調を省略してよい。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【０１４１】
図６は、本出願の一実施形態に係るネットワークデバイス６００の概略ブロック図である。図６に示すように、端末デバイス６００は、指示情報を端末デバイスに送信するよう構成される第１の送信ユニット６１０であって、指示情報は、Ｎ個のシステム情報の内容を示すために使用される情報を含み、指示情報は、Ｎ個のシステム情報のうちの同一内容を有する少なくとも２つのシステム情報を決定し、少なくとも２つのシステム情報を処理するために、端末デバイスによって使用される、第１の送信ユニット６１０と、Ｎ個のシステム情報を端末デバイスに送信するよう構成される第２の送信ユニット６２０とを備え、Ｎは、２より大きいかまたはそれに等しい正の整数である。
【０１４２】
したがって、本出願のこの実施形態では、ネットワークデバイスは指示情報を端末に送信し、その結果、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１４３】
任意で、第１の送信ユニット６１０が端末デバイスに送信する指示情報は、指示情報に基づいて少なくとも２つのシステム情報に対して合成復調を実行するために端末デバイスによって使用される。
【０１４４】
あるいは、第１の送信ユニット６１０が端末デバイスに送信する指示情報は、少なくとも２つのシステム情報における第１システム情報を指示情報に基づいて復調し、少なくとも２つのシステム情報における第１システム情報以外のシステム情報の復調を省略するために、端末デバイスによって使用される。
【０１４５】
任意で、第１の送信ユニットは具体的に、ブロードキャストメッセージを端末デバイスに送信するよう構成され、ブロードキャストメッセージは指示情報を保持する。
【０１４６】
あるいは、第１の送信ユニットは具体的に、制御情報を端末デバイスに送信するよう構成され、制御情報は指示情報を保持する。
【０１４７】
任意で、Ｎ個のシステム情報の内容を示すために使用される情報は、Ｎ個のシステム情報の各々に対応するリソース識別子、Ｎ個のシステム情報の各々に対応するリソースグループ識別子、および、Ｎ個のシステム情報の各々に対応する内容識別子、のうちの少なくとも１つを含む。
【０１４８】
任意で、少なくとも２つのシステム情報は、同一のシステム情報伝送期間内にあるか、または、少なくとも２つのシステム情報は、少なくとも２つのシステム情報伝送期間内にある。
【０１４９】
図６に示すネットワークデバイス６００は、図２の方法の実施形態のネットワークデバイスに関係したプロセスを実装できることを理解されたい。ネットワークデバイス６００内のモジュールの動作および／または機能がそれぞれ、図２の方法の実施形態の対応する手順を実装するために使用される。詳細は、上述の方法の実施形態の説明を参照されたい。繰り返しを避けるために、ここでは詳細な説明を適宜省略する。
【０１５０】
したがって、本出願のこの実施形態では、ネットワークデバイスは指示情報を端末に送信し、その結果、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１５１】
加えて、本出願のこの実施形態では、端末デバイスはさらに、同一内容を有する少なくとも２つのシステム情報に対して合成復調を実行してよい。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【０１５２】
本出願のこの実施形態では、端末デバイスは、少なくとも２つのシステム情報における第１システム情報のみを復調し、第１システム情報が正しく復調されたとき、少なくとも２つのシステム情報における他のシステム情報の復調を省略してよい。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【０１５３】
図７は、本出願の一実施形態に係る端末デバイス７００の概略ブロック図である。図７に示すように、端末デバイス７００は、プロセッサ７１０および送受信機７２０を備え、プロセッサ７１０は、送受信機７２０に接続される。任意で、端末デバイス７００は、メモリ７３０をさらに備え、メモリ７３０は、プロセッサ７１０に接続される。任意で、デバイス７００は、バスシステム７４０をさらに備える。プロセッサ７１０、メモリ７３０、および送受信機７２０は、バスシステム７４０を使用することによって接続される。メモリ７３０は、命令を記憶するよう構成されてよい。プロセッサ７１０は、情報または信号を受信するよう送受信機７２０を制御するべく、メモリ７３０に記憶された命令を実行するよう構成される。
【０１５４】
具体的には、送受信機７２０は、ネットワークデバイスが送信した指示情報を受信するよう構成される。ここで、指示情報は、Ｍ個のシステム情報の内容を示すために使用される情報を含む。
【０１５５】
送受信機７２０はさらに、ネットワークデバイスが送信したＭ個のシステム情報を受信するよう構成される。
【０１５６】
プロセッサ７１０は、指示情報に基づいて、Ｍ個のシステム情報のうちの同一内容を有する少なくとも２つのシステム情報を決定し、少なくとも２つのシステム情報を処理するよう構成される。ここで、Ｍは、２より大きいかまたはそれに等しい正の整数である。
【０１５７】
したがって、本出願のこの実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１５８】
本出願のこの実施形態において、プロセッサ７１０は、中央演算処理装置（Ｃｅｎｔｒａｌ  Ｐｒｏｃｅｓｓｉｎｇ  Ｕｎｉｔ、略して「ＣＰＵ」）であってよく、または、プロセッサ７１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートのゲートもしくはトランジスタのロジックデバイス、または、ディスクリートのハードウェアコンポーネント等であってよいことを理解されたい。汎用プロセッサは、マイクロプロセッサであってよく、または、プロセッサは、任意の従来のプロセッサ等であってよい。
【０１５９】
メモリ７３０は、リードオンリメモリおよびランダムアクセスメモリを含んでよく、命令およびデータをプロセッサ７１０に提供してよい。メモリ７３０の一部は、不揮発性ランダムアクセスメモリをさらに含んでよい。例えば、メモリ７３０は、デバイスタイプ情報をさらに記憶してよい。
【０１６０】
バスシステム７４０は、データバスに加えて、電力バス、制御バス、およびステータス信号バス等をさらに含んでよい。しかしながら、説明を明瞭にするために、図中の様々なタイプのバスはバスシステム７４０と表される。
【０１６１】
実装プロセスにおいて、上述の方法の段階は、プロセッサ７１０内のハードウェアの集積論理回路を使用することによって、またはソフトウェアの形態の命令を使用することによって実装できる。本出願の実施形態に関連して開示される方法の段階は、ハードウェアプロセッサによって直接実行されてよく、または、プロセッサ内のハードウェアとソフトウェアモジュールとの組み合わせを使用することによって実行されてよい。ソフトウェアモジュールは、ランダムアクセスメモリ、フラッシュメモリ、リードオンリメモリ、プログラマブルリードオンリメモリ、電気的に消去可能なプログラマブルメモリ、またはレジスタ等といった、当技術分野における成熟した記憶媒体に配置されてよい。記憶媒体はメモリ７３０内に配置され、プロセッサ７１０はメモリ７３０内の情報を読み出し、プロセッサのハードウェアと組み合わせて上述の方法の段階を完了する。繰り返しを避けるために、ここで再度詳細を説明することはしない。
【０１６２】
任意で、プロセッサ７１０は具体的に、少なくとも２つのシステム情報に対して合成復調を実行するよう構成される。
【０１６３】
あるいは、プロセッサ７１０は具体的に、少なくとも２つのシステム情報における第１システム情報を復調し、少なくとも２つのシステム情報における第１システム情報以外のシステム情報の復調を省略するよう構成される。
【０１６４】
任意で、送受信機７２０は具体的に、ネットワークデバイスが送信したブロードキャストメッセージを受信するよう構成される。ここで、ブロードキャストメッセージは指示情報を保持する。
【０１６５】
あるいは、送受信機７２０は具体的に、ネットワークデバイスが送信した制御情報を受信するよう構成される。ここで、制御情報は指示情報を保持する。
【０１６６】
任意で、Ｍ個のシステム情報の内容を示すために使用される情報は、Ｍ個のシステム情報の各々に対応するリソース識別子、Ｍ個のシステム情報の各々に対応するリソースグループ識別子、および、Ｍ個のシステム情報の各々に対応する内容識別子、のうちの少なくとも１つを含む。
【０１６７】
任意で、少なくとも２つのシステム情報は、同一のシステム情報伝送期間内にあるか、または、少なくとも２つのシステム情報は、少なくとも２つのシステム情報伝送期間内にある。
【０１６８】
図７に示す端末デバイス７００は、図２の方法の実施形態の端末デバイスに関係したプロセスを実装できることを理解されたい。端末デバイス７００内のモジュールの動作および／または機能がそれぞれ、図２の方法の実施形態の対応する手順を実装するために使用される。詳細は、上述の方法の実施形態における説明を参照されたい。繰り返しを避けるために、ここでは詳細な説明を適宜省略する。
【０１６９】
したがって、本出願のこの実施形態において、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１７０】
加えて、本出願のこの実施形態では、端末デバイスはさらに、同一内容を有する少なくとも２つのシステム情報に対して合成復調を実行してよい。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【０１７１】
本出願のこの実施形態では、端末デバイスは、少なくとも２つのシステム情報における第１システム情報のみを復調し、第１システム情報が正しく復調されたとき、少なくとも２つのシステム情報における他のシステム情報の復調を省略してよい。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【０１７２】
図８は、本出願の一実施形態に係るネットワークデバイス８００の概略ブロック図である。図８に示すように、ネットワークデバイス８００は、プロセッサ８１０および送受信機８２０を備え、プロセッサ８１０は、送受信機８２０に接続される。任意で、ネットワークデバイス８００は、メモリ８３０をさらに備え、メモリ８３０は、プロセッサ８１０に接続される。任意で、デバイス８００は、バスシステム８４０をさらに備える。プロセッサ８１０、メモリ８３０、および送受信機８２０は、バスシステム８４０を使用することによって接続される。メモリ８３０は、命令を記憶するよう構成されてよい。プロセッサ８１０は、情報または信号を受信するよう送受信機８２０を制御するべく、メモリ８３０に記憶された命令を実行するよう構成される。
【０１７３】
送受信機８２０は、指示情報であって、Ｎ個のシステム情報の内容を示すために使用される情報を含み、かつ、Ｎ個のシステム情報のうちの同一内容を有する少なくとも２つのシステム情報を決定し、少なくとも２つのシステム情報を処理するために、端末デバイスによって使用される指示情報、を端末デバイスに送信し、Ｎ個のシステム情報を端末デバイスに送信するよう構成され、Ｎは、２より大きいかまたはそれに等しい正の整数である。
【０１７４】
したがって、本出願のこの実施形態では、ネットワークデバイスは指示情報を端末に送信し、その結果、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１７５】
本出願のこの実施形態において、プロセッサ８１０は、中央演算処理装置（Ｃｅｎｔｒａｌ  Ｐｒｏｃｅｓｓｉｎｇ  Ｕｎｉｔ、略して「ＣＰＵ」）であってよく、または、プロセッサ８１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートのゲートもしくはトランジスタのロジックデバイス、または、ディスクリートのハードウェアコンポーネント等であってよいことを理解されたい。汎用プロセッサは、マイクロプロセッサであってよく、または、プロセッサは、任意の従来のプロセッサ等であってよい。
【０１７６】
メモリ８３０は、リードオンリメモリおよびランダムアクセスメモリを含んでよく、命令およびデータをプロセッサ８１０に提供してよい。メモリ８３０の一部は、不揮発性ランダムアクセスメモリをさらに含んでよい。例えば、メモリ８３０は、デバイスタイプ情報をさらに記憶してよい。
【０１７７】
バスシステム８４０は、データバスに加えて、電力バス、制御バス、およびステータス信号バス等をさらに含んでよい。しかしながら、説明を明瞭にするために、図中の様々なタイプのバスはバスシステム８４０と表される。
【０１７８】
実装プロセスにおいて、上述の方法の段階は、プロセッサ８１０内のハードウェアの集積論理回路を使用することによって、またはソフトウェアの形態の命令を使用することによって実装できる。本出願の実施形態に関連して開示される方法の段階は、ハードウェアプロセッサによって直接実行されてよく、または、プロセッサ内のハードウェアとソフトウェアモジュールとの組み合わせを使用することによって実行されてよい。ソフトウェアモジュールは、ランダムアクセスメモリ、フラッシュメモリ、リードオンリメモリ、プログラマブルリードオンリメモリ、電気的に消去可能なプログラマブルメモリ、またはレジスタ等といった、当技術分野における成熟した記憶媒体に配置されてよい。記憶媒体はメモリ８３０内に配置され、プロセッサ８１０はメモリ８３０内の情報を読み出し、プロセッサのハードウェアと組み合わせて上述の方法の段階を完了する。繰り返しを避けるために、ここで再度詳細を説明することはしない。
【０１７９】
任意で、送受信機８２０が端末デバイスに送信する指示情報は、指示情報に基づいて少なくとも２つのシステム情報に対して合成復調を実行するために端末デバイスによって使用される。
【０１８０】
あるいは、送受信機８２０が端末デバイスに送信する指示情報は、少なくとも２つのシステム情報における第１システム情報を指示情報に基づいて復調し、少なくとも２つのシステム情報における第１システム情報以外のシステム情報の復調を省略するために、端末デバイスによって使用される。
【０１８１】
任意で、送受信機８２０は具体的に、ブロードキャストメッセージを端末デバイスに送信するよう構成され、ブロードキャストメッセージは指示情報を保持する。
【０１８２】
あるいは、送受信機８２０は具体的に、制御情報を端末デバイスに送信するよう構成される。ここで、制御情報は指示情報を保持する。
【０１８３】
任意で、Ｎ個のシステム情報の内容を示すために使用される情報は、Ｎ個のシステム情報の各々に対応するリソース識別子、Ｎ個のシステム情報の各々に対応するリソースグループ識別子、および、Ｎ個のシステム情報の各々に対応する内容識別子、のうちの少なくとも１つを含む。
【０１８４】
任意で、少なくとも２つのシステム情報は、同一のシステム情報伝送期間内にあるか、または、少なくとも２つのシステム情報は、少なくとも２つのシステム情報伝送期間内にある。
【０１８５】
図８に示すネットワークデバイス８００は、図２の方法の実施形態のネットワークデバイスに関係したプロセスを実装できることを理解されたい。ネットワークデバイス８００内のモジュールの動作および／または機能がそれぞれ、図２の方法の実施形態の対応する手順を実装するために使用される。詳細は、上述の方法の実施形態の説明を参照されたい。繰り返しを避けるために、ここでは詳細な説明を適宜省略する。
【０１８６】
したがって、本出願のこの実施形態では、ネットワークデバイスは指示情報を端末に送信し、その結果、端末デバイスは、システム情報の内容が同一であるか否かを指示情報に基づいて知り、同一内容を有するシステム情報を処理することができ、それによって、復調の繰り返しまたは不満足な復調性能という従来技術の問題を回避または軽減する。
【０１８７】
加えて、本出願のこの実施形態では、端末デバイスはさらに、同一内容を有する少なくとも２つのシステム情報に対して合成復調を実行してよい。単一のシステム情報の受信信号品質が比較的悪いとき、同一内容を有する少なくとも２つのシステム情報を受信し合成することによって受信信号品質およびシステム情報伝送信頼性を向上させることができ、それによって、復調の繰り返しまたは不満足な復調性能という従来技術の問題を回避または軽減する。
【０１８８】
本出願のこの実施形態では、端末デバイスは、少なくとも２つのシステム情報における第１システム情報のみを復調し、第１システム情報が正しく復調されたとき、少なくとも２つのシステム情報における他のシステム情報の復調を省略してよい。したがって、本出願のこの実施形態では、システム情報が正しく復調されることを保証するべく、第１システム情報のみが復調されればよく、端末デバイスが、同一内容を保持するシステム情報を頻繁に重複して検出する必要はない。したがって、本出願のこの実施形態は、復調の繰り返しまたは不満足な復調性能という従来技術の問題を回避することができ、端末デバイスの電力消費を低減し、情報復調時間を短縮し、システム効率を向上させることができる。
【０１８９】
明細書全体において言及される「１つの実施形態において」または「一実施形態において」は、その実施形態に関連する特定の機能、構造、または特徴が、本出願の少なくとも１つの実施形態に含まれることを意味することを理解されたい。したがって、明細書全体にわたって現れる「１つの実施形態において」または「一実施形態において」は、同一の実施形態を指すものではない。加えて、これらの特定の機能、構造、または特徴は、任意の適切な方式を使用することによって１または複数の実施形態において組み合わされてよい。上述のプロセスの順序番号は、本出願の様々な実施形態における実行順序を意味するものではないことを理解されたい。プロセスの実行順序は、プロセスの機能および内部論理に応じて決定されるべきであり、本出願の実施形態の実装プロセスを限定するものと解釈されるべきでは全くない。
【０１９０】
加えて、「システム」および「ネットワーク」という用語は、本明細書では互換的に使用されてよい。本明細書における「および／または」という用語は、関連する対象物を説明するための関連関係のみを説明するものであり、３つの関係が存在してよいことを表している。例えば、Ａおよび／またはＢは、Ａのみ存在する、ＡおよびＢの両方が存在する、ならびに、Ｂのみ存在する、という３つの場合を表し得る。加えて、本明細書における「／」の記号は、概して、関連する対象物の間の「または」の関係を示す。
【０１９１】
本出願の実施形態において、「Ａに対応するＢ」とは、ＢがＡと関連付けられており、ＢがＡに応じて決定されてよいことを示すことを理解されたい。しかしながら、Ａに応じてＢを決定することは、ＢがＡのみに応じて決定されることを意味するわけではなく、すなわち、Ｂはまた、Ａおよび／または他の情報に応じて決定されてよいことをさらに理解されたい。
【０１９２】
当業者であれば、本明細書に開示の実施形態において説明されている例と組み合わせて、電子的ハードウェア、コンピュータソフトウェア、またはそれらの組み合わせによって、ユニットおよびアルゴリズムの段階が実装されてよいことを認識するであろう。ハードウェアとソフトウェアとの間の互換性を明確に説明するべく、上記では機能に応じて各例の構成および段階を概して説明している。当該機能がハードウェアによって実行されるのか、またはソフトウェアによって実行されるのかは、技術的解決手段の特定の応用と設計制約条件とによって決まる。当業者であれば、異なる方法を使用して、説明された機能を特定の応用ごとに実装してよいが、そのような実装例が本出願の範囲を超えるものであるとみなされるべきではない。
【０１９３】
当業者であれば明確に理解され得るように、説明を簡便かつ簡潔にする目的で、上述のシステム、装置、およびユニットの詳細な動作プロセスについては上述の方法の実施形態における対応するプロセスが参照されてよく、ここで詳細を再度説明することはしない。
【０１９４】
本出願において提供されているいくつかの実施形態では、開示のシステム、装置、および方法が他の方式で実装されてよいことを理解されたい。例えば、説明されている装置の実施形態は例に過ぎない。例えば、ユニットの分割は、論理的機能の分割に過ぎず、実際の実装例では他の分割であってよい。例えば、複数のユニットもしくはコンポーネントが別のシステムに組み合わされるか、もしくは統合されてよく、または、いくつかの特徴が無視されるか、または実行されなくてよい。加えて、表示または説明されている相互結合もしくは直接結合または通信接続は、いくつかのインタフェース、装置間もしくはユニット間の間接結合もしくは通信接続、または、電気的接続、機械的接続、もしくは他の形態の接続によって実装されてよい。
【０１９５】
別個の部分として説明されているユニットは、物理的に別々であってもなくてもよい。また、ユニットとして表示されている部分は、物理ユニットであってもなくてもよく、一か所に配置されてよく、または、複数のネットワークユニットにおいて分散されてよい。実際の要件に応じて当該ユニットの一部または全てを選択して、本出願の実施形態の解決手段の目的を実現してよい。
【０１９６】
加えて、本出願の実施形態の機能ユニットが１つの処理ユニットに統合されてよく、または、当該ユニットの各々は物理的に単独で存在してよく、または、２つまたはそれより多くのユニットが１つのユニットに統合される。統合されたユニットは、ハードウェアの形態で実装されてよく、または、ソフトウェア機能ユニットの形態で実装されてよい。
【０１９７】
上述の実装例の説明により、当業者は、本出願がハードウェア、ファームウェア、またはそれらの組み合わせによって実装され得ることを明確に理解するだろう。本発明がソフトウェアによって実装されるとき、上述の機能は、コンピュータ可読媒体に記憶されてよく、または、コンピュータ可読媒体内の１または複数の命令もしくはコードとして送信されてよい。コンピュータ可読媒体は、コンピュータ記憶媒体および通信媒体を含み、ここで、通信媒体は、コンピュータプログラムをある場所から別の場所へ伝送することを可能にする任意の媒体を含む。当該記憶媒体は、コンピュータがアクセス可能な任意の利用可能な媒体であってよい。次に例を提供するが、限定を課すものではない。コンピュータ可読媒体は、ＲＡＭ、ＲＯＭ、ＥＥＰＲＯＭ、ＣＤ−ＲＯＭもしくは別の光ディスク記憶装置、磁気ディスク記憶媒体もしくは別の磁気記憶装置、または、命令もしくはデータ構造の形式の期待されるプログラムコードを保持または記憶でき、コンピュータがアクセス可能な任意の他の媒体を含んでよい。加えて、任意の接続がコンピュータ可読媒体として適宜定義されてよい。例えば、ソフトウェアが、同軸ケーブル、光ファイバ／ケーブル、ツイストペア、デジタル加入者線（ＤＳＬ）、または、赤外線、電波、およびマイクロ波などの無線技術を使用することによって、ウェブサイト、サーバまたは別のリモートソースから送信される場合、同軸ケーブル、光ファイバ／ケーブル、ツイストペア、ＤＳＬ、または、赤外線、電波、およびマイクロ波などの無線技術は、それらが属する媒体の固定に含まれる。例えば、本出願によって使用されるディスク（Ｄｉｓｋ）およびディスク（ｄｉｓｋ）は、コンパクトディスクＣＤ、レーザディスク、光ディスク、デジタルバーサタイルディスク（ＤＶＤ）、フロッピー（登録商標）ディスク、およびＢｌｕ−ｒａｙ（登録商標）ディスクを含み、ここで、ディスク（Ｄｉｓｋ）は一般に、磁気手段によってデータをコピーし、ディスク（ｄｉｓｋ）はレーザ手段によって光学的にデータをコピーする。上述の組み合わせも、コンピュータ可読媒体の保護範囲に含まれるべきである。
【０１９８】
要約すると、上述のものは、本出願の技術的解決手段の例示的な実施形態に過ぎず、本出願の保護範囲を限定することは意図していない。本出願の趣旨および原理から逸脱することなく成されたあらゆる変形、均等物による置換、または改良は、本出願の保護範囲に含まれるものとする。
【図１】
2019525632.tif 000005
【図２】
2019525632.tif 000006
【図３】
2019525632.tif 000007
【図４】
2019525632.tif 000008
【図５】
2019525632.tif 000009
【図６】
2019525632.tif 000010
【図７】
2019525632.tif 000011
【図８】
2019525632.tif 000012
【手続補正書】
【提出日】平成31年3月14日(2019.3.14)
【手続補正１】
【補正対象書類名】明細書
【補正対象項目名】００５３
【補正方法】変更
【補正の内容】
【００５３】
第４態様によると、ネットワークデバイスが提供される。当該ネットワークデバイスは、第２態様、または第２態様の任意の可能な実装例の方法を実行するよう構成される。具体的には、ネットワークデバイスは、上述の方法を実行するよう構成されるユニットを含む。
【手続補正２】
【補正対象書類名】明細書
【補正対象項目名】００５５
【補正方法】変更
【補正の内容】
【００５５】
第６態様によると、ネットワークデバイスが提供される。ネットワークデバイスは、プロセッサおよびメモリを備える。メモリは、コンピュータプログラムを記憶するよう構成される。プロセッサは、メモリに記憶されたコンピュータプログラムを実行し、第２態様、または第２態様の任意の可能な実装例の方法を実行するよう構成される。具体的には、ネットワークデバイスは、上述の方法を実行するよう構成されるユニットを含む。
【国際調査報告】
2019525632.tif 000013
2019525632.tif 000014
2019525632.tif 000015
2019525632.tif 000016